(57)【特許請求の範囲】
【請求項１】
被処理物を加圧下で流動燃焼させる加圧流動炉と、この燃焼により発生した排ガスによって駆動されるタービン及びこのタービンによって駆動され前記加圧流動炉内に供給する圧縮空気を生成するコンプレッサーを有する過給機と、前記加圧流動炉に供給する加圧空気を予熱する空気予熱器と、を備えた加圧流動焼却設備であって、
前記コンプレッサーの吸込み側に設けられた起動用ブロワからの空気を、前記コンプレッサーを通して前記加圧流動炉内に加圧空気を供給する経路と、この経路における前記コンプレッサーを通った後の前記空気予熱器の手前の経路から分岐して、前記空気予熱器を通らず前記加圧流動炉の始動用バーナーに直接連なる分岐経路とを有し、
前記加圧流動炉の立上げの際に、起動用ブロワからの空気全量を、前記コンプレッサーを通して加圧空気とし、前記経路を通して前記空気予熱器を介して前記加圧空気を前記加圧流動炉内に供給し、かつ、前記分岐経路を通して前記加圧空気を前記始動用バーナーの燃焼用空気として供給し、
立ち上がり運転時間経過に伴い、始動用バーナーの燃焼により加圧流動炉内の圧力が上昇するとコンプレッサー出口側の圧縮空気圧力が加圧流動炉内の流動部の圧力損失を超える圧力となって、加圧流動炉内の圧力上昇に伴いコンプレッサーの出口側風量が増加するように構成した、
ことを特徴とする加圧流動焼却設備。
【請求項２】
前記コンプレッサーの吸込み側に起動用ブロワを介して空気を供給する経路と、前記コンプレッサーと起動用ブロワとの間から分岐して前記コンプレッサー吸い込み側に外部空気を送り込む経路とを有し、
安定運転時には、前記コンプレッサーと起動用ブロワの間から分岐した外部空気を送り込む経路からコンプレッサーの吸引力で吸い込まれた外部空気を、コンプレッサーで加圧して、前記加圧流動炉内に加圧空気として供給し、且つ、前記分岐経路を介して前記加圧空気を前記始動用バーナーに供給するよう、
起動用ブロワを介して空気を供給する経路と、外部空気を送り込む経路とを切替える切替弁をそれぞれ設けた請求項１記載の加圧流動焼却設備。
【請求項３】
被処理物を加圧下で流動燃焼させる加圧流動炉と、この燃焼により発生した排ガスによって駆動されるタービン及びこのタービンによって駆動され前記加圧流動炉内に供給する圧縮空気を生成するコンプレッサーを有する過給機と、前記加圧流動炉に供給する加圧空気を予熱する空気予熱器と、を備えた加圧流動焼却設備における立ち上げ運転方法であって、
前記コンプレッサーの吸込み側に設けられた起動用ブロワからの空気全量を、前記コンプレッサーを通して加圧空気として、前記加圧流動炉内に前記空気予熱器を介して加圧空気を供給する経路を通して加圧空気を供給するとともに、前記加圧空気を供給する経路における前記コンプレッサーを通った後の前記空気予熱器の手前の経路から分岐して、前記空気予熱器を通らず前記加圧流動炉の始動用バーナーに直接連なる分岐経路を通して、前記加圧流動炉の始動用バーナーに前記加圧空気を燃焼用空気として供給し、
立ち上がり運転時間経過に伴い、始動用バーナーの燃焼により加圧流動炉内の圧力が上昇するとコンプレッサー出口側の圧縮空気圧力が加圧流動炉内の流動部の圧力損失を超える圧力となって、加圧流動炉内の圧力上昇に伴いコンプレッサーの出口側風量が増加するよう
前記始動用バーナーの燃焼と前記コンプレッサーとによって、前記加圧流動炉内圧力と、加圧流動炉内へ燃焼用空気として吹き込む加圧空気の圧力を連動させる
ことを特徴とする加圧流動焼却設備の立ち上げ運転方法。
【請求項４】
前記コンプレッサーの吸込み側に起動用ブロワを介して空気を供給する経路と、前記コンプレッサーと起動用ブロワとの間から分岐して前記コンプレッサー吸い込み側に外部空気を送り込む経路とを有し、
安定運転時には、前記コンプレッサーと起動用ブロワの間から分岐した外部空気を送り込む経路からコンプレッサーの吸引力で吸い込まれた外部空気を、コンプレッサーで加圧して、前記加圧流動炉内に加圧空気として供給し、且つ、前記分岐経路を介して前記加圧空気を前記始動用バーナーに供給するよう、
起動用ブロワを介して空気を供給する経路を閉鎖して起動用ブロワを停止し、代わりに外部空気を送り込む経路を開放する請求項３記載の加圧流動焼却設備の立ち上げ運転方法。
【発明の詳細な説明】
【技術分野】
【０００１】
本発明は、加圧流動焼却設備及び流動焼却設備の立ち上げ運転方法に関し、詳しくは被処理物を加圧下で流動燃焼し、この燃焼により発生した排ガスにより駆動されるタービンを備え、該タービンによってコンプレッサーを駆動し、このコンプレッサーの駆動によって生成された圧縮空気を加圧流動炉内に供給する構成とされた加圧流動焼却設備及び流動焼却設備の立ち上げ運転方法に関するものである。
【背景技術】
【０００２】
加圧流動炉では石炭を燃料とする加圧流動床複合発電プラントが実用化され、通常、立上げ時において、タービンの過給機を電動機として使用して所定の圧力、温度まで起動している。ここで、過給機を使用するシステムでは過給機を起動時に空気供給手段として利用できないため大型の容量の起動用ブロワを採用する場合が多い。
他方、ガスタービンの排気を有効利用する方法として、本出願人は特許文献１として開示した。しかし、特許文献１には流動焼却設備の立ち上げ運転に関して開示はない。
また、流動焼却設備の立ち上げ運転の際の工夫として、本出願人は特許文献２を提案した。しかし、１年当たり１〜２回程度の立ち上げ運転に使用する始動用バーナーについての燃焼用空気をどこから持ち込むかの点について考慮がなされていない。一般的に始動用バーナーは常温から炉内温度を、原料（この場合、汚泥）を焼却できる温度にまで昇温するために使用し、専用に設けた専用ブロワから燃焼空気を供給するものである。
ところで、加圧流動炉は立ち上げ運転において、加圧流動炉内を常圧から安定運転に必要な圧力まで加圧する必要がある。このような加圧流動炉の圧力変化に対し、燃焼空気量を所定量確保できるよう、専用ブロワで燃焼空気を所定量供給するため、専用ブロワを炉内圧に適した運転をしなければならず、適切な運転のために、たとえば、専用ブロワの回転数を炉内圧に応じて、増減させるための制御設備等が必要とされている。さらに１年当たり１〜２回程度（多くとも数回）の立ち上げ運転だけのために、専用ブロワを用意することは、設備の高騰を招く。特に、加圧流動炉が所定の加圧状態の安定運転に達する時点まで専用ブロワによって低吐出圧力・低送風量から高吐出圧力・高送風量を確保するために専用ブロワの大型化を回避できないものであった。
【特許文献１】特開平９−８９２３２号公報
【特許文献２】特願２００５−３６５７７７号
【発明の開示】
【発明が解決しようとする課題】
【０００３】
したがって、本発明の主たる課題は、始動用バーナーに必要な燃焼空気を容易に供給し、また、始動用バーナーに燃焼用空気を送る専用ブロワを使用しないことにより、設備コストやランニングコストを低減させることにある。
【課題を解決するための手段】
【０００４】
上記課題を解決した本発明は、次のとおりである。
＜請求項１記載の発明＞
被処理物を加圧下で流動燃焼させる加圧流動炉と、この燃焼により発生した排ガスによって駆動されるタービン及びこのタービンによって駆動され前記加圧流動炉内に供給する圧縮空気を生成するコンプレッサーを有する過給機と、前記加圧流動炉に供給する加圧空気を予熱する空気予熱器と、を備えた加圧流動焼却設備であって、
前記コンプレッサーの吸込み側に設けられた起動用ブロワからの空気を、前記コンプレッサーを通して前記加圧流動炉内に加圧空気を供給する経路と、この経路における前記コンプレッサーを通った後の前記空気予熱器の手前の経路から分岐して、前記空気予熱器を通らず前記加圧流動炉の始動用バーナーに直接連なる分岐経路とを有し、
前記加圧流動炉の立上げの際に、起動用ブロワからの空気全量を、前記コンプレッサーを通して加圧空気とし、前記経路を通して前記空気予熱器を介して前記加圧空気を前記加圧流動炉内に供給し、かつ、前記分岐経路を通して前記加圧空気を前記始動用バーナーの燃焼用空気として供給し、
立ち上がり運転時間経過に伴い、始動用バーナーの燃焼により加圧流動炉内の圧力が上昇するとコンプレッサー出口側の圧縮空気圧力が加圧流動炉内の流動部の圧力損失を超える圧力となって、加圧流動炉内の圧力上昇に伴いコンプレッサーの出口側風量が増加するように構成した、
ことを特徴とする加圧流動焼却設備。
【０００５】
（作用効果）
先にも触れたように、１年当たり１〜２回程度（多くとも数回）の立ち上げ運転だけのために、始動用バーナーに燃焼用空気を送るための専用ブロワを用意することは、設備の高騰を招く。特に、加圧流動炉が所定の加圧状態の安定運転に達する時点まで専用ブロワによって、容量的に大きい加圧流動炉に対して燃焼用空気を送り込むことは、専用ブロワの大型化を回避できないものである。
後者の点についてさらに説明すると、立ち上げ当初の加圧流動炉の圧力は低圧であるが、時間の経過とともに炉内圧力は増加させる必要がある。このために、専用ブロワは、当初の低吐出圧力・低送風量から時間経過後の高吐出圧力・高送風量を確保するために容量を予めもっている必要があるために、専用ブロワの大型化を回避できないものである。
しかるに、本発明は、コンプレッサーの吸込み側に設けられた起動用ブロワからの空気を、コンプレッサーを通して加圧流動炉内に加圧空気を供給する経路と、この経路におけるコンプレッサーを通った後の経路から分岐して、加圧流動炉の始動用バーナーに連なる分岐経路とを有し、加圧流動炉の立上げの際に、分岐経路を通して加圧空気を始動用バーナーの燃焼用空気として供給するものである。
【０００６】
時間経過に伴う燃焼の進行によって昇温し、これに伴って、加圧流動炉内の圧力が上昇すると、コンプレッサー側での圧縮比が高くなり、コンプレッサー出口側の圧縮空気圧力は加圧流動炉内の圧力よりも常に高くなる（加圧流動炉内の流動部の圧力損失分を超える圧力）ので、加圧流動炉内の圧力上昇に伴ってコンプレッサー出口側の風量が増加する。すなわち加圧流動炉内の圧力と、加圧流動炉内へ燃焼用空気として吹き込む加圧空気の圧力が連動しているので、始動用バーナーにおける燃焼用空気量制御が容易になる。仮に容量の小さい専用ブロワを使用した場合であっても、時間経過後においても高吐出圧力・高送風量を確保することができる。したがって、図１に符号４３Ａとして仮定的に図示した始動用バーナーに燃焼用空気を送るための専用ブロワを使用しないものとなり、さらにブロワの回転数を制御するために必要な装置が不要となることから、設備コストやランニングコストを低減させることができる。
【０００７】
＜請求項２記載の発明＞
前記コンプレッサーの吸込み側に起動用ブロワを介して空気を供給する経路と、前記コンプレッサーと起動用ブロワとの間から分岐して前記コンプレッサー吸い込み側に外部空気を送り込む経路とを有し、
安定運転時には、前記コンプレッサーと起動用ブロワの間から分岐した外部空気を送り込む経路からコンプレッサーの吸引力で吸い込まれた外部空気を、コンプレッサーで加圧して、前記加圧流動炉内に加圧空気として供給し、且つ、前記分岐経路を介して前記加圧空気を前記始動用バーナーに供給するよう、
起動用ブロワを介して空気を供給する経路と、外部空気を送り込む経路とを切替える切替弁をそれぞれ設けた請求項１記載の加圧流動焼却設備。
【０００８】
（作用効果）
安定運転時には、コンプレッサーの吸込み側に設けられた起動用ブロワを停止して、外部空気を利用するために、ランニングコストを低減することができる。
【０００９】
＜請求項３記載の発明＞
被処理物を加圧下で流動燃焼させる加圧流動炉と、この燃焼により発生した排ガスによって駆動されるタービン及びこのタービンによって駆動され前記加圧流動炉内に供給する圧縮空気を生成するコンプレッサーを有する過給機と、前記加圧流動炉に供給する加圧空気を予熱する空気予熱器と、を備えた加圧流動焼却設備における立ち上げ運転方法であって、
前記コンプレッサーの吸込み側に設けられた起動用ブロワからの空気全量を、前記コンプレッサーを通して加圧空気として、前記加圧流動炉内に前記空気予熱器を介して加圧空気を供給する経路を通して加圧空気を供給するとともに、前記加圧空気を供給する経路における前記コンプレッサーを通った後の前記空気予熱器の手前の経路から分岐して、前記空気予熱器を通らず前記加圧流動炉の始動用バーナーに直接連なる分岐経路を通して、前記加圧流動炉の始動用バーナーに前記加圧空気を燃焼用空気として供給し、
立ち上がり運転時間経過に伴い、始動用バーナーの燃焼により加圧流動炉内の圧力が上昇するとコンプレッサー出口側の圧縮空気圧力が加圧流動炉内の流動部の圧力損失を超える圧力となって、加圧流動炉内の圧力上昇に伴いコンプレッサーの出口側風量が増加するよう
前記始動用バーナーの燃焼と前記コンプレッサーとによって、前記加圧流動炉内圧力と、加圧流動炉内へ燃焼用空気として吹き込む加圧空気の圧力を連動させる
ことを特徴とする加圧流動焼却設備の立ち上げ運転方法。
【００１０】
（作用効果）
請求項１記載のものと同様の作用効果を奏する。
【００１１】
＜請求項４記載の発明＞
前記コンプレッサーの吸込み側に起動用ブロワを介して空気を供給する経路と、前記コンプレッサーと起動用ブロワとの間から分岐して前記コンプレッサー吸い込み側に外部空気を送り込む経路とを有し、
安定運転時には、前記コンプレッサーと起動用ブロワの間から分岐した外部空気を送り込む経路からコンプレッサーの吸引力で吸い込まれた外部空気を、コンプレッサーで加圧して、前記加圧流動炉内に加圧空気として供給し、且つ、前記分岐経路を介して前記加圧空気を前記始動用バーナーに供給するよう、
起動用ブロワを介して空気を供給する経路を閉鎖して起動用ブロワを停止し、代わりに外部空気を送り込む経路を開放する請求項３記載の加圧流動焼却設備の立ち上げ運転方法。
【００１２】
（作用効果）
請求項２記載のものと同様の作用効果を奏する。
【発明の効果】
【００１３】
本発明によれば、要すれば、始動用バーナーの燃焼用空気送気用ブロワを使用しない又は小型化することにより、設備コストやランニングコストを低減させることができる。
【発明を実施するための最良の形態】
【００１４】
以下、本発明の実施の形態を説明する。
本発明に係る加圧流動焼却装置は、被処理物Ｓを燃焼させる加圧流動炉１０と、この燃焼により発生した排ガスＧによって駆動されるタービン４１及びこのタービン４１によって駆動され、加圧流動炉１０内に供給する加圧空気を生成するコンプレッサー４２を有する過給機４０を備えている。
加圧流動炉１０には、バイオマス、都市ゴミや下水汚泥の脱水ケーキ等の被処理物Ｓが供給口から供給されると共に、始動時において下部の燃焼用バーナー１２から燃焼のための燃料及び燃焼用空気が供給されるようになっている。加圧流動炉１０の下部からは、後述するように、加圧空気が吹き込まれ、その流動化エネルギーによって被処理物Ｓが流動されながら、燃焼焼却されるようになっている。
その燃焼焼却排ガスは、流路７１を通して空気予熱器２０に送られ、その後に流路７２を通してバグフィルタやセラミックフィルタなどの集塵機３０を通り、流路７３を通して過給機４０に導かれる。
過給機４０では、タービン４１を駆動し、これに連結されたコンプレッサー４２を駆動する。タービン４１で膨張した排ガスは、流路７４を通して白煙防止用予熱器５０を通り、流路７５を通して排煙処理塔６０に導かれ、清浄化が図られた後に煙突６２から大気に放出される。
【００１５】
他方、コンプレッサー４２に対して空気供給手段として起動用ブロワ４３が設けられており、切り替え弁４４を有する流路７６からの空気を、コンプレッサー４２により加圧して、流路７７及び流路７８を通り、空気予熱器２０を巡りながら流路７９を通して、加圧流動炉１０内に加圧空気を供給する経路が形成されている。
また、この経路におけるコンプレッサー４２を通った後の経路７７から分岐して、加圧流動炉１０の始動用バーナー１２に連なる分岐経路８０も形成されている。
空気予熱器２０は、排ガスのもっている熱により、加圧流動炉１０内に供給する加圧空気を予熱するためのものである。
白煙防止用予熱器５０は、白煙防止ファン５２から送り込まれる空気を予熱し、排煙処理塔６０からの排ガスを煙突６２において加熱し、白煙を大気に発生させないようにするものである。排煙処理塔６０は排ガスの最終的な清浄化を図るものであり、湿式集塵方式などが採用される。
【００１６】
一方、起動用ブロワ４３に対して、本設備周りから外部空気Ａのコンプレッサー４２に対する切り替え弁４５を有する供給流路８１が設けられ、立ち上がり運転時には起動用ブロワ４３からコンプレッサー４２に空気を送り込み、安定運転になった時点で、切り替え弁４４を閉じ、その代わりに切り替え弁４５を開として供給流路８１を通して外部空気Ａをコンプレッサー４２に対して送り込むようになっている。
【００１７】
立ち上げ運転の際には、コンプレッサー４２に対して設けられた起動用ブロワ４３からの空気を流路７６を通してコンプレッサー４２に送り込み、コンプレッサー４２により加圧して、流路７７及び流路７８を通り、空気予熱器２０を巡りながら流路７９を通して、加圧流動炉１０内に加圧空気を供給する。
また、この経路におけるコンプレッサー４２を通った後の経路７７から分岐した分岐経路８０を通して、加圧流動炉１０の始動用バーナー１２に送り、燃焼用空気として供給する。
【００１８】
立ち上がり運転時間経過に伴って、加圧流動炉１０内の圧力が上昇すると、コンプレッサー側での圧縮比が高くなり、コンプレッサー４２出口側の圧縮空気圧力は加圧流動炉１０内の圧力よりも常に高くなる（加圧流動炉１０内の流動部の圧力損失分を超える圧力）ので、加圧流動炉１０内の圧力上昇に伴ってコンプレッサー４２出口側の風量が増加する。
したがって、始動用バーナーに供給する燃焼用空気についても、その供給圧力、風量が加圧流動炉１０内の状況に応じて変動するため、複雑な制御機構を設けることなく、空気比の調整が可能となる。
【００１９】
補助的に、起動用ブロワ４３を使用する場合であっても、一定量の風量が確保できればよく、必要な風量はごくわずかなものですむことになる。
したがって、図１に符号４３Ａとして仮定的に図示した始動用バーナーに燃焼用空気を送るための専用ブロワを使用しないものとなり、もって、設備コストやランニングコストを低減させることができる。
【００２０】
所定の温度、タービン４１の入口温度がたとえば３５０℃以上、圧力が０．１１〜０．１５ＭＰａの条件を指標とした安定運転になった時点で、切り替え弁４４を閉じ、その代わりに切り替え弁４５を開として供給流路８１を通して本設備周りから外部空気Ａをコンプレッサー４２に対して送り込む。以後、この条件が続行される。
【００２１】
従来、焼却に用いられている加圧を行わない気泡流動炉では、常時流動用ブロワを運転し続けること、排煙処理塔６０で煙突から強制的に排気するための誘引ファンの設置が必要なものであるのに対し、本発明に係る加圧流動焼却装置は、起動時に起動用ブロワ４３を使用するのみで足りるのでランニングコストが低減し、誘引ファンの設置が不要となる利点がある。
加圧流動炉１０の運転条件に限定はないが、０．１〜０．３ＭＰａ程度の加圧にし、ダイオキシン発生防止の観点から８００〜８５０℃程度の温度条件にすることが望ましい。
【図面の簡単な説明】
【００２２】
【図１】本発明に係る加圧流動焼却装置の構成例の説明図である。
【符号の説明】
【００２３】
１０…加圧流動炉、１２…燃焼用バーナー、３０…集塵機、４０…過給機、４１…タービン、４２…コンプレッサー、４３…起動用ブロワ（空気供給手段）、５０…白煙防止用予熱器、６０…排煙処理塔、Ｓ…被処理物。
【図１】
0005392739.tif 000002